(57)【特許請求の範囲】
【請求項１】
建物内の昇降路内で昇降可能に設けられたかごに対して利用者が乗り降りする開口部を閉じるためのドアパネルであって、上下方向と直交する横方向に移動可能に設けられたドアパネルと、開口部を閉じた状態のドアパネルの一部に対して上下方向及び横方向のそれぞれと直交する方向で重なり合う対向部材であって、ドアパネルが開口部を閉じる方向に向いた端面を有する対向部材と、対向部材に固定された弾性部材であって、ドアパネルと対向する弾性部材とを備え、弾性部材は、ドアパネルと対向する対向面と、対向部材の端面と同方向に向いて外部に露呈する露出面とを含み、且つ露出面に対して交差する方向に力が作用したときに弾性変形して対向面が外方に膨出することで該対向面をドアパネルに当接させるように構成されることを特徴とするエレベータ用のドア装置。
【請求項２】
対向部材は、弾性部材を固定する固定部であって、ドアパネルの移動方向において、端面よりも奥まった位置にある固定部を備えている請求項１に記載のエレベータ用のドア装置。
【請求項３】
固定部に固定された弾性部材の露出面は、対向部材の端面と同面又は略同面である請求項２に記載のエレベータ用のドア装置。
【請求項４】
弾性部材は、ドアパネルの移動方向において、露出面の存在する一端と、該一端の反対側の他端とを有し、露出面に対して該露出面と交差する方向の力が作用したときの対向面と直交する方向における弾性変形量が他端側よりも一端側ほど大きくなるように形成される請求項１乃至３の何れか１項に記載のエレベータ用のドア装置。
【請求項５】
弾性部材の上下方向から見た断面形状は、一端から他端に向けて先細りしている請求項４に記載のエレベータ用のドア装置。
【発明の詳細な説明】
【技術分野】
【０００１】
本発明は、利用者の指定する階層に停止したかごに対して利用者が乗り降りする開口部を閉じるためのドアパネルであって、上下方向と直交する横方向に移動可能に設けられたドアパネルを備えたエレベータ用のドア装置に関する。
【背景技術】
【０００２】
エレベータは、複数の階層を有する建物内で上下方向に延びる昇降路を移動するかごであって、利用者の指定する階層で停止するかごと、かご及び各階層のそれぞれに設けられたエレベータ用のドア装置（以下、単にドア装置という）とを備える。
【０００３】
かご及び階層の少なくとも何れか一方に設けられるドア装置は、利用者の指定する階層で停止したかごに対して利用者が乗り降りする開口部を閉じるためのドアパネルであって、上下方向と直交する横方向に移動可能に設けられたドアパネルを備える。また、ドア装置は、開口部を閉じた状態のドアパネルの一部に対して上下方向及び横方向のそれぞれと直交する方向（奥行き方向）で重なり合うように配置される対向部材を備える。
【０００４】
具体的には、この種のドア装置は、利用者がかごに乗り降りする開口部の横方向の開口幅を決定するサイドジャムであって、開口部を閉じた状態のドアパネルの一部に対して奥行き方向に重なり合うサイドジャムを備える。また、この種のドア装置には、主たるドアパネルと共に開口部を閉じる別のドアパネルであって、開口部を閉じた状態の主たるドアパネルの一部に対して上下方向及び横方向のそれぞれと直交する方向（奥行き方向）に重なり合う別のドアパネルを備えたものがある。
【０００５】
この種のドア装置において、ドアパネルが横方向に移動する際、ドアパネルは対向部材（サイドジャム、別のドアパネル等）に沿って移動する。
【０００６】
これに伴い、この種のドア装置では、ドアパネルが開口部を開放するとき（ドアパネルが横方向に移動する際）に、ドアパネルと対向部材との間に利用者の手（主として指先）等が入り込まないように、奥行き方向におけるドアパネルと対向部材との間隔が必要最小限の間隔に設定される。
【０００７】
しかしながら、ドアパネルと対向部材との間隔が必要最小限の間隔に設定されていても、利用者がドアパネルに手を付けた状態でドアパネルが横方向に移動すると、ドアパネルと対向部材との間に利用者の手（指）が引き込まれてしまう虞がある。特に、幼児等の手（指）は小さいため、ドアパネルと対向部材との間に引き込まれる可能性は大人よりも高い。
【０００８】
このような状況を考慮し、図１０に示す如く、この種のドア装置１００には、利用者の手（指）Ｆがドアパネル１０１と対向部材１０２との間に引き込まれたときに、ドアパネル１０１と対向する対向部材１０２（例えば、サイドジャム）の一部１０３が利用者の手Ｆに押されて傾倒するようにしたものがある（例えば、特許文献１参照）。かかるドア装置１００は、対向部材１０２の一部１０３が傾倒することで、ドアパネル１０１と該ドアパネル１０１と対向する部分との間隔が広がるため、利用者の指詰めを抑制できるとしている。
【０００９】
しかしながら、上記構成のドア装置１００は、対向部材１０２の一部１０３が傾倒しても利用者の手（指）Ｆがドアパネル１０１と対向部材１０２との間に引き込まれ続ける虞があり、十分な安全性を確保することはできない。また、上記構成のドア装置１００のおいては、対向部材１０２の一部１０３が利用者の手Ｆに押されてドアパネル１０１の移動方向に傾倒するため、利用者の手（指）Ｆが傾倒した対向部材１０２の一部１０３を乗り越えてしまうと、利用者が手（指）Ｆをドアパネル１０１と対向部材１０２との間から引き抜こうとしたときに、傾倒した対向部材１０２の一部１０３を引き起こすような態様になる。すなわち、傾倒した対向部材１０２の一部１０３が引き抜きに対して抵抗する態様になる。
【００１０】
従って、上記構成のドア装置１００では、スムーズにドアパネル１０１と対向部材１０２との間から手（指）Ｆを引き抜くことができない場合がある。
【先行技術文献】
【特許文献】
【００１１】
【特許文献１】特開２００４−６０３２５号公報
【発明の概要】
【発明が解決しようとする課題】
【００１２】
そこで、本発明は、ドアパネルと対向部材との間に手が引き込まれることを抑制でき、利用者の安全性を向上させたエレベータ用のドア装置を提供することを課題とする。
【課題を解決するための手段】
【００１３】
本発明に係るエレベータ用のドア装置は、建物内の昇降路内で昇降可能に設けられたかごに対して利用者が乗り降りする開口部を閉じるためのドアパネルであって、上下方向と直交する横方向に移動可能に設けられたドアパネルと、開口部を閉じた状態のドアパネルの一部に対して上下方向及び横方向のそれぞれと直交する方向で重なり合う対向部材であって、ドアパネルが開口部を閉じる方向に向いた端面を有する対向部材と、対向部材に固定された弾性部材であって、ドアパネルと対向する弾性部材とを備え、弾性部材は、ドアパネルと対向する対向面と、対向部材の端面と同方向に向いて外部に露呈する露出面とを含み、且つ露出面に対して交差する方向に力が作用したときに弾性変形して対向面が外方に膨出することで該対向面をドアパネルに当接させるように構成されることを特徴とする。
【００１４】
上記構成によれば、ドアパネルが横方向に移動して開口部を開放するときに、利用者の手がドアパネルと対向部材の間に引き込まれそうになると、利用者の手が弾性部材の外部に露出した露出面に当り、該弾性部材を押圧する。この押圧による力で弾性部材が弾性変形し、弾性部材の対向面がドアパネルに当接する。これにより、利用者の手（指）が入り込む隙間がなくなる。すなわち、弾性変形してドアパネルに当接した弾性部材が利用者の手（指）がドアパネルと対向部材との間に進入することを阻止する。従って、上記構成のエレベータ用のドア装置は、ドアパネルと対向部材との間に手が引き込まれることを抑制でき、利用者に対する安全性を向上させる。
【００１５】
本発明の一態様として、対向部材は、弾性部材を固定する固定部であって、ドアパネルの移動方向において、端面よりも奥まった位置にある固定部を備えてもよい。このようにすれば、弾性部材が対向部材の端面よりも奥まった位置で固定されるため、対向部材の端面からの弾性部材の突出量が抑えられる。従って、開口部が全開した状態で乗り降りする利用者が弾性部材と接触することが抑えられ、利用者の乗り降りの円滑性が確保される。
【００１６】
この場合、固定部に固定された弾性部材の露出面は、対向部材の端面と同面又は略同面であることが好ましい。このようにすれば、弾性部材が対向部材から突出することがなく、開口部が全開した状態で乗り降りする利用者が弾性部材と接触することが抑えられ、利用者の乗り降りの円滑性が確保される。
【００１７】
また、弾性部材は、ドアパネルの移動方向において、露出面の存在する一端と、該一端の反対側の他端とを有し、露出面に対して該露出面と交差する方向の力が作用したときの対向面と直交する方向における弾性変形量が他端側よりも一端側ほど大きくなるように形成されることが好ましい。このようにすれば、ドアパネルと対向部材の間に引き込まれそうになった利用者の手の近い位置で弾性部材が大きく弾性変形し、その直近における弾性部材の対向面がドアパネルに当たる。従って、ドアパネルと対向部材との間に利用者の手（指）が入り込むことを早い段階で阻止することができる。
【００１８】
具体的には、弾性部材の上下方向から見た断面形状は、一端から他端に向けて先細りしていることが好ましい。弾性部材の弾性変形量は、弾性係数と長さ（厚み）との積算により求められる。従って、厚みのある一端側における弾性変形量は、厚みの薄い他端側よりも多くなる。従って、簡易な構成で弾性部材の露出面側を大きく弾性変形させることができる。
【発明の効果】
【００１９】
以上のように、本発明は、ドアパネルと対向部材との間に手が引き込まれることを抑制でき、利用者の安全性を向上させることができるという優れた効果を奏し得る。
【図面の簡単な説明】
【００２０】
【図１】図１は、本発明の一実施形態に係るエレベータ用のドア装置を搭載したエレベータの概略全体図である。
【図２】図２は、同実施形態に係るエレベータ用のドア装置であって、かご側のエレベータ用のドア装置の階層側から見た概略図である。
【図３】図３は、図２のＩＩＩ−ＩＩＩ断面図である。
【図４】図４は、同実施形態に係るエレベータ用のドア装置であって、階層側のエレベータ用のドア装置の昇降路側から見た概略図である。
【図５】図５は、図４のＶ−Ｖ断面図である。
【図６】図６は、同実施形態に係るエレベータ用ドア装置の部分概略断面図であって、かごが指定の階層に停止した状態（かご側のエレベータ用ドア装置と階層側のエレベータ用のドア装置とが対向した状態）の概略断面図である。
【図７】図７は、同実施形態にエレベータ用のドア装置の機能を説明するための概要図であって、かご側のエレベータ用のドア装置で利用者の指が引き込まれそうになったときの状態図である。
【図８】図８、本発明の他実施形態に係るエレベータ用のドア装置の横断面図である。
【図９】図９は、本発明の別の実施形態に係るエレベータ用のドア装置の横断面図である。
【図１０】図１０は、従来のエレベータ用のドア装置の部分断面図であって、ドアパネルと対向部材との間に引き込まれた利用者の手（指）を含むドア装置の部分断面図である。
【発明を実施するための形態】
【００２１】
以下、本発明の一実施形態について、添付図面を参照しつつ説明する。
【００２２】
図１に示す如く、エレベータ１は、建物内で上下方向に延びる昇降路１０内で上下方向に移動可能に設けられたかご２と、かご２を昇降させる昇降用駆動装置３であって、利用者の指定する階層１１にかご２を停止させる昇降用駆動装置３とを備える。
【００２３】
さらに、エレベータ１は、かご２に設けられたエレベータ１用のドア装置（以下、かご側ドア装置という）４と、建物の階層１１毎に設けられたエレベータ１用のドア装置（以下、階層側ドア装置５という）とを備える。
【００２４】
かご２は、所定人数の利用者を収容可能に構成されたかご本体２０を備える。かご本体２０は、利用者が乗り降りする開口部４０に対応した開放部分を有する。かご本体２０は、上下方向と直交する横方向に延びる梁状のかご側トップフレーム（図示しない）であって、開放部分の上縁に沿って配置され、開口部４０の上縁を決定するかご側トップフレームを備える。
【００２５】
かご側ドア装置４は、かご本体２０に取り付けられる。かご側ドア装置４は、図２に示す如く、利用者が乗り降りする開口部４０を閉じるためのドアパネル４１を備える。より具体的に説明すると、かご側ドア装置４は、図３に示す如く、かご２（かご本体２０）に対して利用者が乗り降りする開口部４０を閉じるためのドアパネル４１であって、上下方向と直交する横方向に移動可能に設けられたドアパネル（以下、かご側ドアパネルという）４１と、開口部４０を閉じた状態のかご側ドアパネル４１の一部（横方向の端部）に対して上下方向及び横方向のそれぞれと直交する方向で重なり合う対向部材４２であって、かご側ドアパネル４１が開口部４０を閉じる方向に向いた端面４２０を有する対向部材（以下、かご側対向部材という）４２と、かご側対向部材４２に固定された弾性部材４３であって、かご側ドアパネル４１と対向する弾性部材（以下、かご側弾性部材という）４３とを備える。また、かご側ドア装置４は、図２に示す如く、かご側ドアパネル４１を横方向に移動させる駆動装置４４と、該駆動装置４４の駆動を階層側ドア装置５に伝達する駆動伝達装置４５とを備える。
【００２６】
かご側ドア装置４は、かご側ドアパネル４１と少なくとも一つ備える。本実施形態に係るかご側ドア装置４は、二枚のかご側ドアパネル４１を備え、駆動装置４４が二枚のかご側ドアパネル４１を相反する方向に移動させることで、開口部４０を開閉するようになっている。なお、二枚のかご側ドアパネル４１は、伝達機構（採番しない）を介して作動的に接続されており、横方向に移動するときに、互いに連動するようになっている。
【００２７】
本実施形態において、図３に示す如く、かご側対向部材４２は、開口部４０の開口幅（横方向の幅）を決定する。すなわち、かご側対向部材４２は、かご本体２０に固定されたサイドジャムであって、利用者が乗り降りするための開口部４０の開口幅を決定するサイドジャムである。なお、以下の説明において、かご側対向部材４２をかご側サイドジャムということとする。
【００２８】
かご側サイドジャム４２は、上下方向に延びる。本実施形態において、かご側ドア装置４は、かご側サイドジャム４２を一対備える。一対のかご側サイドジャム４２は、横方向に間隔をあけて配置される。一対のかご側サイドジャム４２の間隔は、開口部４０の開口幅と対応する。一対のかご側サイドジャム４２の上端部の上側には、図２に示す如く、横方向に延びる取付フレーム４６が配置されている。すなわち、かご側ドア装置４は、一対のかご側サイドジャム４２と、一対のかご側サイドジャム４２の上端部の上側に配置された取付フレーム４６とを含む。一対のかご側サイドジャム４２の上端部は、かご本体２０のかご側トップフレームに連結され、取付フレーム４６は、一対のかご側サイドジャム４２の上端部の上側位置でかご側トップフレームに沿うように配置され、かご本体２０（かご側トップフレーム）に固定されている。これにより、一対のかご側サイドジャム４２とかご本体２０のかご側トップフレームとが、三方枠を構成し、開口部４０を画定している。なお、取付フレーム４６には、かご側ドアパネル４１を横方向に案内するガイドレール（採番しない）や、駆動装置４４等が取り付けられている。
【００２９】
図３に示す如く、一方のかご側サイドジャム４２は、開口部４０を閉じた状態の一方のかご側ドアパネル４１の一部（横方向の一方の端部）に対して上下方向及び横方向のそれぞれと直交する方向で重なり合い、他方のかご側サイドジャム４２は、開口部４０を閉じた状態の他方のかご側ドアパネル４１の一部（横方向の一方の端部）に対して上下方向及び横方向のそれぞれと直交する方向で重なり合う。これにより、本実施形態においては、一方のかご側ドアパネル４１は、一方のかご側サイドジャム４２に沿って移動し、他方のかご側ドアパネル４１は、他方のかご側サイドジャム４２に沿って移動する。
【００３０】
一対のかご側サイドジャム４２のそれぞれは、対応するかご側ドアパネル４１が開口部４０を閉じる方向に向いた端面４２０を有する。すなわち、一方のかご側サイドジャム４２は、一方のかご側ドアパネル４１が開口部４０を閉じる方向に向いた端面４２０を有し、他方のかご側サイドジャム４２は、他方のかご側ドアパネル４１が開口部４０を閉じる方向に向いた端面４２０を有する。そして、一対のかご側サイドジャム４２は、互いの端面４２０を対向させている。これにより、一対のかご側サイドジャム４２の端面４２０が開口部４０の横方向の開口幅を決定している。
【００３１】
一対のかご側サイドジャム４２のそれぞれは、弾性部材４３を固定する固定部４２１であって、かご側ドアパネル４１の移動方向において、端面４２０よりも奥まった位置にある固定部４２１を備える。
【００３２】
本実施形態において、固定部４２１は、端面４２０に繋がる第一端と、第一端よりもかご側ドアパネル４１側に位置し、且つかご側ドアパネル４１の移動方向において第一端よりも奥まった位置にある第二端とを有する。すなわち、固定部４２１は、第一端から第二端に向かうに連れてかご側ドアパネル４１との間隔が狭くなるように傾斜している。これにより、固定部４２１は、かご側弾性部材４３を配置するスペースとして、上下方向から見て三角形状のスペースを確保している。
【００３３】
本実施形態において、かご側弾性部材４３は、上下方向に延び、開口部４０の上下方向における全範囲に対応して配置されている。かご側弾性部材４３は、一対のかご側サイドジャム４２のそれぞれの固定部４２１に固定される。したがって、各かご側サイドジャム４２に固定されたかご側弾性部材４３は、固定されたかご側サイドジャム４２と対応（対向）するかご側ドアパネル４１と対向する。
【００３４】
各かご側弾性部材４３は、対応するかご側ドアパネル４１と対向する対向面４３０と、固定されたかご側サイドジャム４２の端面４２０と同方向に向いて外部に露呈する露出面４３１とを含む。かご側弾性部材４３は、弾性変形可能な成型品であり、ここでは、樹脂製又はゴム製の部材が採用される。かご側弾性部材４３は、露出面４３１に対して交差する方向に力が作用したときに弾性変形して対向面４３０が外方に膨出するように形成される。これに伴い、かご側弾性部材４３は、外方に膨出した対向面４３０が対応するかご側ドアパネル４１に当接するようになっている。
【００３５】
本実施形態に係るかご側弾性部材４３において、対向面４３０及び露出面４３１のそれぞれは、平面状に形成される。また、対向面４３０及び露出面４３１は、直角又は略直角をなす。かご側弾性部材４３の露出面４３１は、固定されたかご側サイドジャム４２の端面４２０と同面又は略同面である。
【００３６】
かご側弾性部材４３は、かご側ドアパネル４１の移動方向において、露出面４３１の存在する一端と、該一端の反対側の他端とを有する。かご側弾性部材４３は、露出面４３１に対して該露出面４３１と交差する方向の力が作用したときの対向面４３０と直交する方向における弾性変形量が他端側よりも一端側ほど大きくなるように形成される。かご側弾性部材４３は、かご側サイドジャム４２の固定部４２１が確保したスペースと対応した断面形状を有する。本実施形態において、かご側弾性部材４３の上下方向から見た断面形状は、一端から他端に向けて先細りしている。すなわち、かご側弾性部材４３は、かご側サイドジャム４２の固定部４２１の確保したスペースと対応するように、上下方向から見て、露出面４３１を底面とした三角形状に形成されている。本実施形態において、上述の如く、露出面４３１と対向面４３０とが直角又は略直角をなすため、かご側弾性部材４３は、上下方向から見て、露出面４３１を底面とした直角三角形状に形成されている。
【００３７】
図２に戻り、駆動装置４４は、かご２の上部（図においては、取付フレーム４６）に固定される。駆動装置４４は、所定の負荷以上の負荷が作用したときに、停止するように構成される。ここで、所定の負荷とは、ドアパネル４１を横方向に移動させるために必用な負荷をいう。本実施形態において、駆動装置４４は、駆動伝達装置４５を介して後述する階層側ドアパネル５１（図４及び図５参照）にも横方向の力（階層側ドアパネル５１を移動させる力）を作用させるため、かご側ドアパネル４１及び階層側ドアパネル５１を移動させるために必用な力（負荷）を超える負荷が生じたときに、駆動を停止する。
【００３８】
駆動伝達装置４５は、かご側ドアパネル４１に対して直接的又は間接的に固定されている。駆動伝達装置４５は、かご２が指定の階層１１に到達するのに併せ、該階層１１の階層側ドア装置５（後述する係合装置５４）と係合する。一般的に、駆動伝達装置４５は、横方向に間隔をあけて対向する一対のベーン４５０を備え、該ベーン４５０を介して横方向の力を階層側ドア装置５（後述する階層側ドアパネル５１）に伝達するように構成される。
【００３９】
図１に示す如く、階層側ドア装置５は、建物に取り付けられる。具体的に説明すると、階層側ドア装置５は、図４に示す如く、利用者が乗り降りする開口部５０を閉じるためのドアパネル５１を備える。より具体的に説明すると、階層側ドア装置５は、図５に示す如く、かご２（かご本体２０）に対して利用者が乗り降りする開口部５０を閉じるためのドアパネル５１であって、上下方向と直交する横方向に移動可能に設けられたドアパネル（以下、階層側ドアパネルという）５１と、開口部５０を閉じた状態の階層側ドアパネル５１の一部（横方向の端部）に対して上下方向及び横方向のそれぞれと直交する方向で重なり合う対向部材５２であって、階層側ドアパネル５１が開口部５０を閉じる方向に向いた端面５２０を有する対向部材（以下、階層側対向部材という）５２と、階層側対向部材５２に固定された弾性部材５３であって、階層側ドアパネル５１と対向する弾性部材（以下、階層側弾性部材という）５３とを備える。また、階層側ドア装置５は、図４に示す如く、かご側ドア装置４の駆動伝達装置４５と係合可能に構成され、係合した駆動伝達装置４５から駆動力を受ける係合装置５４を備える。
【００４０】
階層側ドア装置５は、階層側ドアパネル５１と少なくとも一つ備える。本実施形態に係る階層側ドア装置５は、二枚の階層側ドアパネル５１を備え、二枚の階層側ドアパネル５１を相反する方向に移動させることで、開口部５０を開閉するようになっている。なお、二枚の階層側ドアパネル５１は、伝達機構（採番しない）を介して作動的に接続されており、横方向に移動するときに、互いに連動するようになっている。
【００４１】
本実施形態において、図５に示す如く、階層側対向部材５２は、開口部５０の開口幅（横方向の幅）を決定する。すなわち、階層側対向部材５２は、かご本体２０に固定されたサイドジャムであって、利用者が乗り降りするための開口部５０の開口幅を決定するサイドジャムである。なお、以下の説明において、階層側対向部材５２を階層側サイドジャムということとする。
【００４２】
階層側サイドジャム５２は、上下方向に延びる。本実施形態において、階層側ドア装置５は、階層側サイドジャム５２を一対備える。一対の階層側サイドジャム５２は、横方向に間隔をあけて配置される。一対の階層側サイドジャム５２の間隔は、開口部５０の開口幅と対応する。一対の階層側サイドジャム５２の上端部は、図４に示す如く、横方向に延びる階層側トップフレーム５６を介して連結されている。すなわち、階層側ドア装置５は、一対の階層側サイドジャム５２と、一対の階層側サイドジャム５２の上端同士を連結する階層側トップフレーム５６とを含む。一対の階層側サイドジャム５２及び階層側トップフレーム５６は、三方枠を構成し、開口部５０を画定する。本実施形態において、階層側ドア装置５は、二枚の階層側ドアパネル５１を連動させる伝達機構や、階層側ドアパネル５１を横方向に案内するガイドレール（採番しない）等を支持する支持フレーム５７を備える。支持フレーム５７は、開口部５０（階層側トップフレーム５６）の上側に配置され、昇降路１０を包囲する建物内の壁面等に固定される。
【００４３】
図５に示す如く、一方の階層側サイドジャム５２は、開口部５０を閉じた状態の一方の階層側ドアパネル５１の一部（横方向の一方の端部）に対して上下方向及び横方向のそれぞれと直交する方向で重なり合い、他方の階層側サイドジャム５２は、開口部５０を閉じた状態の他方の階層側ドアパネル５１の一部（横方向の一方の端部）に対して上下方向及び横方向のそれぞれと直交する方向で重なり合う。これにより、本実施形態においては、一方の階層側ドアパネル５１は、一方の階層側サイドジャム５２に沿って移動し、他方の階層側ドアパネル５１は、他方の階層側サイドジャム５２に沿って移動する。
【００４４】
一対の階層側サイドジャム５２のそれぞれは、対応する階層側ドアパネル５１が開口部５０を閉じる方向に向いた端面５２０を有する。すなわち、一方の階層側サイドジャム５２は、一方の階層側ドアパネル５１が開口部５０を閉じる方向に向いた端面５２０を有し、他方の階層側サイドジャム５２は、他方の階層側ドアパネル５１が開口部５０を閉じる方向に向いた端面５２０を有する。そして、一対の階層側サイドジャム５２は、互いの端面５２０を対向させている。これにより、一対の階層側サイドジャム５２の端面５２０が開口部５０の横方向の開口幅を決定している。
【００４５】
一対の階層側サイドジャム５２のそれぞれは、弾性部材５３を固定する固定部５２１であって、階層側ドアパネル５１の移動方向において、端面５２０よりも奥まった位置にある固定部５２１を備えている。
【００４６】
本実施形態において、固定部５２１は、端面５２０に繋がる第一端と、第一端よりも階層側ドアパネル５１側に位置し、且つ階層側ドアパネル５１の移動方向において第一端よりも奥まった位置にある第二端とを有する。すなわち、固定部５２１は、第一端から第二端に向かうに連れて階層側ドアパネル５１との間隔が狭くなるように傾斜している。これにより、固定部５２１は、階層側弾性部材５３を配置するスペースとして、上下方向から見て三角形状のスペースを確保している。
【００４７】
本実施形態において、階層側弾性部材５３は、上下方向に延び、開口部５０の上下方向の全範囲に対応して配置されている。階層側弾性部材５３は、一対の階層側サイドジャム５２のそれぞれの固定部５２１に固定される。したがって、各階層側サイドジャム５２に固定された階層側弾性部材５３は、固定された階層側サイドジャム５２と対応（対向）する階層側ドアパネル５１と対向する。
【００４８】
階層側弾性部材５３は、対応する階層側ドアパネル５１と対向する対向面５３０と、固定された階層側サイドジャム５２の端面５２０と同方向に向いて外部に露呈する露出面５３１とを含む。階層側弾性部材５３は、弾性変形可能な成型品であり、ここでは、樹脂製又はゴム製の部材が採用される。階層側弾性部材５３は、露出面５３１に対して交差する方向に力が作用したときに弾性変形して対向面５３０が外方に膨出するように形成される。これに伴い、階層側弾性部材５３は、外方に膨出した対向面５３０が対応する階層側ドアパネル５１に当接するようになっている。
【００４９】
本実施形態に係る階層側弾性部材５３において、対向面５３０及び露出面５３１のそれぞれは、平面状に形成される。また、対向面５３０及び露出面５３１は、直角又は略直角をなす。階層側弾性部材５３の露出面５３１は、固定された階層側サイドジャム５２の端面５２０と同面又は略同面である。
【００５０】
階層側弾性部材５３は、階層側ドアパネル５１の移動方向において、露出面５３１の存在する一端と、該一端の反対側の他端とを有する。階層側弾性部材５３は、露出面５３１に対して該露出面５３１と交差する方向の力が作用したときの対向面５３０と直交する方向における弾性変形量が他端側よりも一端側ほど大きくなるように形成される。階層側弾性部材５３は、階層側サイドジャム５２の固定部５２１が確保したスペースと対応した断面形状を有する。本実施形態において、階層側弾性部材５３の上下方向から見た断面形状は、一端から他端に向けて先細りしている。すなわち、階層側弾性部材５３は、階層側サイドジャム５２の固定部５２１の確保したスペースと対応するように、上下方向から見て、露出面５３１を底面とした三角形状に形成されている。本実施形態において、上述の如く、露出面５３１と対向面５３０とが直角又は略直角をなすため、階層側弾性部材５３は、上下方向から見て、露出面５３１を底面とした直角三角形状に形成されている。
【００５１】
図４に戻り、係合装置５４は、階層側ドアパネル５１に対して直接的又は間接的に固定される。係合装置５４は、階層側ドアパネル５１から昇降路１０側に突出した凸部５４０を有する。凸部５４０は、一般的に回転自在なローラ等で構成され、指定の階層１１に到達したかご２における駆動伝達装置４５の一対のベーン４５０間に位置するように配置される。なお、ここでは特に言及しないが、係合装置５４は、一般的に階層側ドアパネル５１が不用意に開口部５０を開放してしまうことを防止するインターロック装置とされる。
【００５２】
かご側ドア装置４及び階層側ドア装置５は、図６に示す如く、かご２が指定の階層１１に停止した状態で、奥行き方向で重複した配置となる。すなわち、かご２が指定の階層１１に停止した状態で、かご側ドア装置４のかご側ドアパネル４１と階層側ドア装置５の階層側ドアパネル５１とが対向する。そして、かご側ドア装置４の駆動装置４４が駆動することで、その駆動がかご側ドア装置４のかご側ドアパネル４１に直接伝達されるとともに
階層側ドアパネル５１に駆動伝達装置４５及び係合装置５４を介して間接的に伝達される。これにより、かご側ドア装置４のかご側ドアパネル４１と階層側ドア装置５の階層側ドアパネル５１とが連動し、かご２側の開口部４０及び階層１１側の開口部５０を開閉する。
【００５３】
そして、本実施形態において、かご側ドア装置４及び階層側ドア装置５は、ドアパネル４１，５１（かご側ドアパネル４１、階層側ドアパネル５１）、対向部材４２，５２（かご側サイドジャム４２、階層側サイドジャム５２）、及び弾性部材４３，５３（かご側弾性部材４３、階層側弾性部材５３）が共通しているため、上述の如く、かご２側の開口部４０及び階層１１側の開口部５０を開閉する際（特に、かご２側の開口部４０及び階層１１側の開口部５０を開く際）、同一の作用及び効果を奏する。
【００５４】
すなわち、本実施形態に係るドア装置４，５（かご側ドア装置４、階層側ドア装置５）は、図３、図５及び図６に示す如く、建物内の昇降路１０内で昇降可能に設けられたかご２に対して利用者が乗り降りする開口部４０，５０を閉じるためのドアパネル４１，５１であって、上下方向と直交する横方向に移動可能に設けられたドアパネル４１，５１と、開口部４０，５０を閉じた状態のドアパネル４１，５１の一部に対して上下方向及び横方向のそれぞれと直交する方向で重なり合う対向部材４２，５２であって、ドアパネル４１，５１が開口部４０，５０を閉じる方向に向いた端面４２０，５２０を有する対向部材４２，５２と、対向部材４２，５２に固定された弾性部材４３，５３であって、ドアパネル４１，５１と対向する弾性部材４３，５３とを備え、弾性部材４３，５３は、ドアパネル４１，５１と対向する対向面４３０，５３０と、対向部材４２，５２の端面４２０，５２０と同方向に向いて外部に露呈する露出面４３１，５３１とを含み、且つ露出面４３１，５３１に対して交差する方向に力が作用したときに弾性変形して対向面４３０，５３０がドアパネル４１，５１に当接するように構成される。
【００５５】
これにより、ドアパネル４１，５１が横方向に移動して開口部４０，５０を開放するときに、利用者の手がドアパネル４１，５１と対向部材４２，５２の間に引き込まれそうになると、図７に示す如く、利用者の手Ｆが弾性部材４３，５３の外部に露出した露出面４３１，５３１に当り、該弾性部材４３，５３を押圧する。この押圧による力で弾性部材４３，５３が弾性変形し、弾性部材４３，５３の対向面４３０，５３０がドアパネル４１，５１に当接する。これにより、利用者の手（指）Ｆが入り込む隙間がなくなる。すなわち、弾性変形してドアパネル４１，５１に当接した弾性部材４３，５３が利用者の手（指）Ｆがドアパネル４１，５１と対向部材４２，５２との間に進入することを阻止する。従って、上記構成のエレベータ１用のドア装置４，５は、ドアパネル４１，５１と対向部材４２，５２との間に手Ｆが引き込まれることを抑制でき、利用者に対する安全性を向上させる。特に、本実施形態に係るドア装置４，５において、駆動装置４４は、所定の負荷以上の負荷が作用したときに停止するように構成されているため、弾性変形した弾性部材４３，５３がドアパネル４１，５１に当接することによる負荷の増大により、ドアパネル４１，５１の移動を停止させる。従って、利用者の手Ｆがドアパネル４１，５１と対向部材４２，５２との間に引き込まれそうになることを確実に防止できる。
【００５６】
また、対向部材４２，５２は、弾性部材４３，５３を固定する固定部４２１，５２１であって、ドアパネル４１，５１の移動方向において、端面４２０，５２０よりも奥まった位置にある固定部４２１，５２１を備えているため、弾性部材４３，５３が対向部材４２，５２の端面４２０，５２０よりも奥まった位置で固定される。これにより、対向部材４２，５２の端面４２０，５２０からの弾性部材４３，５３の突出量が抑えられる。従って、開口部４０，５０が全開した状態で乗り降りする利用者が弾性部材４３，５３と接触することが抑えられ、利用者の乗り降りの円滑性が確保される。
【００５７】
特に、本実施形態においては、固定部４２１，５２１に固定された弾性部材４３，５３の露出面４３１，５３１は、対向部材４２，５２の端面４２０，５２０と同面又は略同面であるため、弾性部材４３，５３が対向部材４２，５２から突出することがなく、開口部４０，５０が全開した状態で乗り降りする利用者が弾性部材４３，５３と接触することが抑えられ、利用者の乗り降りの円滑性が確保される。
【００５８】
また、弾性部材４３，５３は、ドアパネル４１，５１の移動方向において、露出面４３１，５３１の存在する一端と、該一端の反対側の他端とを有し、露出面４３１，５３１に対して該露出面４３１，５３１と交差する方向の力が作用したときの対向面４３０，５３０と直交する方向における弾性変形量が他端側よりも一端側ほど大きくなるように形成されるため、アパネルと対向部材４２，５２の間に引き込まれそうになった利用者の手Ｆの近い位置で弾性部材４３，５３が大きく弾性変形し、その直近における弾性部材４３，５３の対向面４３０，５３０がドアパネル４１，５１に当たる。従って、ドアパネル４１，５１と対向部材４２，５２との間に利用者の手（指）Ｆが入り込むことを早い段階で阻止することができる。
【００５９】
本実施形態において、弾性部材４３，５３の上下方向から見た断面形状は、一端から他端に向けて先細りしている。弾性部材４３，５３の弾性変形量は、弾性係数と長さ（厚み）との積算により求められる。従って、厚みのある一端側における弾性変形量は、厚みの薄い他端側よりも多くなる。よって、簡易な構成で弾性部材４３，５３の露出面４３１，５３１側を大きく弾性変形させることができる。
【００６０】
なお、本発明は、上記実施形態に限定されるものではなく、本発明の要旨を逸脱しない範囲で、適宜変更を加え得ることは勿論のことである。
【００６１】
例えば、上記実施形態において、かご側ドア装置４及び階層側ドア装置５のそれぞれが、ドアパネル４１，５１と対向部材４２，５２としてのサイドジャム４２，５２とを備えたが、これに限定されない。例えば、かご側ドア装置４のみが、ドアパネル４１と対向部材としてのサイドジャム４２とを備えてもよいし、階層側ドア装置５のみがドアパネル５１と対向部材としてのサイドジャム５２とを備えてもよい。すなわち、かご側ドア装置４及び階層側ドア装置５の両方が同じタイプである必用はなく、かご側ドア装置４及び階層側ドア装置５が異なるタイプであってもよい。すなわち、ドアパネル４１，５１と対向部材４２，５２としてのサイドジャム４２，５２とを備えたドア装置４，５は、かご側の及び階層側の少なくとも何れか一方に設けていてもよい。この場合においても、ドアパネル４１，５１と対向部材４２，５２としてのサイドジャム４２，５２とを備えるドア装置４，５は、弾性部材４３，５３を備えることは勿論である。なお、かご側又は階層側の何れか一方のドア装置４，５のみが、ドアパネル４１，５１と対向部材４２，５２としてのサイドジャム４２，５２とを備える場合、安全性を確保するために、かご側又は階層側の何れか他方に対しては、利用者が乗り降りする開口部４０，５０を閉じる別のタイプの扉や安全柵等（例えば、シャッタやアコーディオン型の安全柵等）が設けられることは勿論である。
【００６２】
上記実施形態において、ドア装置４，５（かご側ドア装置４、階層側ドア装置５）が二枚のドアパネル４１，５１を備えたが、これに限定されない。例えば、図８に示す如く、ドア装置４，５（かご側ドア装置４、階層側ドア装置５）は、一枚のドアパネル４１，５１のみを備えたものであってもよい。この場合、ドアパネル４１，５１は、一対のサイドジャム４２，５２のうちの一方のサイドジャム４２，５２に沿って移動することになる。すなわち、一方のサイドジャム４２，５２がドアパネル４１，５１と対向する対向部材４２，５２となる。従って、弾性部材４３，５３は、開口部４０，５０を閉じた状態のドアパネル４１，５１の一部と対向するサイドジャム４２，５２（対向部材４２，５２）のみに取り付けられればよい。
【００６３】
また、上記実施形態において、ドア装置４，５（かご側ドア装置４、階層側ドア装置５）が相反する方向に移動する二枚のドアパネル４１，５１を備えたが、これに限定されない。例えば、図９に示す如く、開口部４０，５０を開閉するに際し、二枚以上のドアパネル４１，５１が同方向に移動するドア装置４，５であってもよい。この場合、開口部４０，５０を閉じた状態で一枚のドアパネル４１，５１の一部に対して別のドアパネル４７，５７が上下方向及び横方向のそれぞれと直交する奥行き方向に重なるため、この別のドアパネル４７，５７が対向部材となる。従って、この場合は、別のドアパネル４７，５７が隣り合うドアパネル４１，５１に対する対向部材となり、サイドジャム４２，５２が別のドアパネル４７，５７に対する対向部材となるため、これらの対向部材４２，５２，４７，５７に対して弾性部材４３，５３が固定されればよい。なお、弾性部材４３，５３の配置は、該弾性部材４３，５３が固定される対向部材４２，５２，４７，５７と、該対向部材４２，５２，４７，５７と対向するドアパネル４１，５１，４７，５７を基準にすればよいことは言うまでもない。
【００６４】
上記実施形態において、弾性部材４３，５３の露出面４３１，５３１が対向部材４２，５２の端面４２０，５２０と同面又は略同面にされたが、これに限定されない。例えば、弾性部材４３，５３の露出面４３１，５３１が対向部材４２，５２の端面４２０，５２０よりも外方に位置してもよい。但し、利用者の乗り降りを考慮すれば、露出面４３１，５３１を対向部材４２，５２の端面４２０，５２０と同面又は略同面にすることが好ましいことは言うまでもない。
【００６５】
上記実施形態において、対向部材４２，５２の固定部４２１，５２１が端面４２０，５２０よりも奥まった位置に設けられたが、これに限定されない。固定部４２１，５２１は対向部材４２，５２の端面４２０，５２０と同面に設けられてもよい。この場合においても、弾性部材４３，５３は、露出面４３１，５３１に対して交差する方向に力が作用したときに弾性変形して対向面４３０，５３０がドアパネル４１，５１に当接するように構成されるため、上記実施形態と同様の作用及び効果を奏することができる。但し、利用者の乗り降りを考慮すれば、対向部材４２，５２の端面４２０，５２０よりも奥まった位置にある固定部４２１，５２１に弾性部材４３，５３を固定することが好ましいことは言うまでもない。
【００６６】
上記実施形態において、上下方向から見た弾性部材４３，５３の断面形状が三角形状に形成されたが、これに限定されない。例えば、上下方向から見た弾性部材４３，５３の断面形状は、四角形状に形成されてもよい。但し、この場合においても、弾性部材４３，５３は、露出面４３１，５３１に対して交差する方向に力が作用したときに弾性変形して対向面４３０，５３０がドアパネル４１，５１に当接するように構成されることは勿論である。
【００６７】
上記実施形態において、弾性部材４３，５３が単一の部材として形成されたが、これに限定されない。例えば、弾性部材４３，５３は、ドアパネル４１，５１の移動方向に弾性特性を異にする複数の部材を重ね合わせて結合して形成してもよい。この場合、一端側（露出面４３１，５３１側）の部材が他端側の部材よりも弾性変形し易いものにすれば、上記実施形態と同様の作用及び効果を奏することができる。
【００６８】
上記実施形態において、弾性部材４３，５３が開口部４０，５０の上下方向における全範囲に対応して配置されたが、これに限定されない。例えば、弾性部材４３，５３は、エレベータ１を利用する利用者の手がドアパネル４１，５１に対して触れる可能性のある範囲のみに配置されてもよい。すなわち、弾性部材４３，５３は、上下方向における大人の手の届く範囲（ドアパネル４１，５１に触れる可能性のある範囲）の上限位置と、上下方向における低年齢の子供の手の届く範囲（ドアパネル４１，５１に触れる可能性のある範囲）の下限位置との間の全域に配置されてもよい。
【００６９】
ここで、大人の手の届く範囲は、大人の平均身長を基準に設定し、低年齢の子供の手の届く範囲は、歩行可能な低年齢の子供の平均身長を基準に設定してもよい。このようにすれば、エレベータ１の利用者全般の安全を確保することができる。また、弾性部材４３，５３が必用最小限の範囲に配置されるため、対向部材４２，５２，４７，５７の周辺の見栄えが良くなる上に、部品交換（弾性部材の交換）に必用なコストを抑えることができる。
【００７０】
また、低年齢の子供は、注意散漫になる傾向にあり、特に、窓付きのドアパネル４１，５１では、ドアパネル４１，５１に手をついて窓をのぞき込むことが多く、手を挟む（指を詰める）可能性が高くなる。従って、特に低年齢の子供の安全を確保することが要求される場合には、弾性部材４３，５３は、低年齢の子供の手の届く範囲（例えば、開口部４０，５０の上下方向における下半分に対応した範囲）に配置されてもよい。
【００７１】
上記実施形態において、特に言及しなかったが、ドア装置４，５を搭載するエレベータ１において、昇降用駆動装置３は、かご２に連結されるロープを移動させる巻上装置であってもよいし、上下方向に延びる油圧シリンダであって、かごに連結される油圧シリンダを含む油圧式のものであってもよい。
【符号の説明】
【００７２】
１…エレベータ、２…かご、３…昇降用駆動装置、４…かご側ドア装置（エレベータ用のドア装置）、５…階層側ドア装置（エレベータ用のドア装置）、１０…昇降路、１１…階層、２０…かご本体、４０…開口部、４１…ドアパネル、４１…かご側ドアパネル（ドアパネル）、４７…別のドアパネル（対向部材）、４２…かご側対向部材（対向部材），かご側サイドジャム（サイドジャム）、４３…かご側弾性部材（弾性部材）、４４…駆動装置、４５…駆動伝達装置、４６…取付フレーム、５０…開口部、５１…階層側ドアパネル（ドアパネル）、５２…階層側対向部材（対向部材），階層側サイドジャム（サイドジャム）、５３…階層側弾性部材（弾性部材）、５４…係合装置、５６…階層側トップフレーム、５７…支持フレーム、４２０…端面、４２１…固定部、４３０…対向面、４３１…露出面、４５０…ベーン、５２０…端面、５２１…固定部、５３０…対向面、５３１…露出面、５４０…凸部
【図１】
0006658109.tif 000002
【図２】
0006658109.tif 000003
【図３】
0006658109.tif 000004
【図４】
0006658109.tif 000005
【図５】
0006658109.tif 000006
【図６】
0006658109.tif 000007
【図７】
0006658109.tif 000008
【図８】
0006658109.tif 000009
【図９】
0006658109.tif 000010
【図１０】
0006658109.tif 000011